【手続補正書】
【提出日】平成21年10月6日(2009.10.6)
【手続補正１】
【補正対象書類名】特許請求の範囲
【補正対象項目名】全文
【補正方法】変更
【補正の内容】
【特許請求の範囲】
【請求項１】
カラーのクエリ画像に類似する画像を、複数の比較対象画像の中から検索する画像検索装置であって、
前記クエリ画像の色特徴量及び輝度特徴量と、カラーの前記比較対象画像の色特徴量及び輝度特徴量と、グレーの前記比較対象画像の輝度特徴量と、を記憶手段から読み出す読出手段と、
カラーの前記比較対象画像のそれぞれについて、前記クエリ画像の前記色特徴量と、前記比較対象画像の前記色特徴量とを比較して、前記クエリ画像との類似性を示す色類似度を求める色類似度導出手段と、
前記色類似度に基づいて、カラーの前記比較対象画像の前記クエリ画像に類似する順序を示す色類似度順序を判定する第１判定手段と、
カラー及びグレーの前記比較対象画像のそれぞれについて、前記クエリ画像の前記輝度特徴量と、前記比較対象画像の前記輝度特徴量とを比較して、前記クエリ画像との類似性を示す輝度類似度を求める輝度類似度導出手段と、
前記輝度類似度に基づいて、カラー及びグレーの前記比較対象画像の前記クエリ画像に類似する順序を示す輝度類似度順序を判定する第２判定手段と、
前記第１判定手段において判定された前記色類似度順序と、前記第２判定手段において判定された前記輝度類似度順序と、を統合し、検索結果順序として出力する統合手段と、
を備え、
前記統合手段は、カラーの前記比較対象画像の、前記色類似度と前記輝度類似度との対応関係に基づいて、前記統合を行う
ことを特徴とする画像検索装置。
【請求項２】
更に、
カラーの前記比較対象画像の、前記色類似度と前記輝度類似度との比較に基づいて、色類似度と輝度類似度との対応関係を示す対応情報を生成する生成手段と、
グレーの前記比較対象画像のそれぞれについて、前記対応情報に基づいて前記輝度類似度を色類似度に変換する変換手段と、
を備え、
前記統合手段は、
カラーの前記比較対象画像の前記色類似度と、前記変換手段において輝度類似度から変換された前記色類似度と、の比較に基づいて、前記統合を行う
ことを特徴とする請求項１に記載の画像検索装置。
【請求項３】
前記生成手段は、
前記色類似度が予め定められた閾値以上である、２以上の前記カラーの比較対象画像を選択し、当該選択されたカラーの前記比較対象画像の、前記色類似度と前記輝度類似度との対応関係に基づいて、前記対応情報を生成する
ことを特徴とする請求項２に記載の画像検索装置。
【請求項４】
前記生成手段は、前記色類似度が最も大きい前記カラーの比較対象画像を選択する
ことを特徴とする請求項３に記載の画像検索装置。
【請求項５】
前記統合手段は、
前記輝度類似度の順番が、第１の前記カラーの比較対象画像の前記輝度類似度の順番と、第２の前記カラーの比較対象画像の前記輝度類似度の順番との間にある、グレーの前記比較対象画像の前記色類似度の順番を、該第１のカラーの比較対象画像の前記色類似度の順番と、該第２のカラーの比較対象画像の前記色類似度の順番との間に決定することにより前記統合を行う
ことを特徴とする請求項１に記載の画像検索装置。
【請求項６】
前記第１のカラーの比較対象画像の前記輝度類似度の順番と、前記第２のカラーの比較対象画像の前記輝度類似度の順番と、の大小関係は、前記第１のカラーの比較対象画像の前記色類似度の順番と、前記第２のカラーの比較対象画像の前記色類似度の順番と、の大小関係と一致する
ことを特徴とする請求項５に記載の画像検索装置。
【請求項７】
前記統合手段において出力された前記検索結果順序に基づいて、前記比較対象画像を表示手段に一覧表示させる表示制御手段を更に備える
ことを特徴とする請求項１乃至６のいずれか１項に記載の画像検索装置。
【請求項８】
カラーのクエリ画像に類似する画像を、複数の比較対象画像の中から検索する画像検索装置の制御方法であって、
読出手段が、前記クエリ画像の色特徴量及び輝度特徴量と、カラーの前記比較対象画像の色特徴量及び輝度特徴量と、グレーの前記比較対象画像の輝度特徴量と、を記憶手段から読み出す読出工程と、
色類似度導出手段が、カラーの前記比較対象画像のそれぞれについて、前記クエリ画像の前記色特徴量と、前記比較対象画像の前記色特徴量とを比較して、前記クエリ画像との類似性を示す色類似度を求める色類似度導出工程と、
第１判定手段が、前記色類似度に基づいて、カラーの前記比較対象画像の前記クエリ画像に類似する順序を示す色類似度順序を判定する第１判定工程と、
輝度類似度導出手段が、カラー及びグレーの前記比較対象画像のそれぞれについて、前記クエリ画像の前記輝度特徴量と、前記比較対象画像の前記輝度特徴量とを比較して、前記クエリ画像との類似性を示す輝度類似度を求める輝度類似度導出工程と、
第２判定手段が、前記輝度類似度に基づいて、カラー及びグレーの前記比較対象画像の前記クエリ画像に類似する順序を示す輝度類似度順序を判定する第２判定工程と、
統合手段が、前記第１判定工程において判定された前記色類似度順序と、前記第２判定工程において判定された前記輝度類似度順序と、を統合し、検索結果順序として出力する統合工程と、
を備え、
前記統合工程においては、カラーの前記比較対象画像の、前記色類似度と前記輝度類似度との対応関係に基づいて、前記統合を行う
ことを特徴とする画像検索装置の制御方法。
【請求項９】
コンピュータを請求項１乃至７のいずれか１項に記載の画像検索装置として機能させるためのプログラム。
【請求項１０】
請求項９に記載のプログラムを格納したコンピュータで読み取り可能な記憶媒体。
【手続補正２】
【補正対象書類名】明細書
【補正対象項目名】０００７
【補正方法】変更
【補正の内容】
【０００７】
上記目的を達成するため、本発明による画像検索装置は以下の構成を備える。即ち、
カラーのクエリ画像に類似する画像を、複数の比較対象画像の中から検索する画像検索装置であって、
前記クエリ画像の色特徴量及び輝度特徴量と、カラーの前記比較対象画像の色特徴量及び輝度特徴量と、グレーの前記比較対象画像の輝度特徴量と、を記憶手段から読み出す読出手段と、
カラーの前記比較対象画像のそれぞれについて、前記クエリ画像の前記色特徴量と、前記比較対象画像の前記色特徴量とを比較して、前記クエリ画像との類似性を示す色類似度を求める色類似度導出手段と、
前記色類似度に基づいて、カラーの前記比較対象画像の前記クエリ画像に類似する順序を示す色類似度順序を判定する第１判定手段と、
カラー及びグレーの前記比較対象画像のそれぞれについて、前記クエリ画像の前記輝度特徴量と、前記比較対象画像の前記輝度特徴量とを比較して、前記クエリ画像との類似性を示す輝度類似度を求める輝度類似度導出手段と、
前記輝度類似度に基づいて、カラー及びグレーの前記比較対象画像の前記クエリ画像に類似する順序を示す輝度類似度順序を判定する第２判定手段と、
前記第１判定手段において判定された前記色類似度順序と、前記第２判定手段において判定された前記輝度類似度順序と、を統合し、検索結果順序として出力する統合手段と、
を備え、
前記統合手段は、カラーの前記比較対象画像の、前記色類似度と前記輝度類似度との対応関係に基づいて、前記統合を行う。
【手続補正３】
【補正対象書類名】明細書
【補正対象項目名】０００８
【補正方法】変更
【補正の内容】
【０００８】
また、本発明による画像検索装置の制御方法は以下の構成を備える。即ち、
カラーのクエリ画像に類似する画像を、複数の比較対象画像の中から検索する画像検索装置の制御方法であって、
読出手段が、前記クエリ画像の色特徴量及び輝度特徴量と、カラーの前記比較対象画像の色特徴量及び輝度特徴量と、グレーの前記比較対象画像の輝度特徴量と、を記憶手段から読み出す読出工程と、
色類似度導出手段が、カラーの前記比較対象画像のそれぞれについて、前記クエリ画像の前記色特徴量と、前記比較対象画像の前記色特徴量とを比較して、前記クエリ画像との類似性を示す色類似度を求める色類似度導出工程と、
第１判定手段が、前記色類似度に基づいて、カラーの前記比較対象画像の前記クエリ画像に類似する順序を示す色類似度順序を判定する第１判定工程と、
輝度類似度導出手段が、カラー及びグレーの前記比較対象画像のそれぞれについて、前記クエリ画像の前記輝度特徴量と、前記比較対象画像の前記輝度特徴量とを比較して、前記クエリ画像との類似性を示す輝度類似度を求める輝度類似度導出工程と、
第２手段が、前記輝度類似度に基づいて、カラー及びグレーの前記比較対象画像の前記クエリ画像に類似する順序を示す輝度類似度順序を判定する第２判定工程と、
統合手段が、前記第１判定工程において判定された前記色類似度順序と、前記第２判定工程において判定された前記輝度類似度順序と、を統合し、検索結果順序として出力する統合工程と、
を備え、
前記統合工程においては、カラーの前記比較対象画像の、前記色類似度と前記輝度類似度との対応関係に基づいて、前記統合を行う。